(57)【要約】【課題】歩行中、靴の中に発生する悪臭、湿気等を自動的に排出するように構成した空気循環機構の靴を提供する。【解決手段】靴Ａの中底２の前部に吸気装置３を設け、靴底４の前半部上面に複数の凹間部５を連通させて設けると共に、踵８に近接して水侵入防止部６を設け、この水侵入防止部６の内部に前記吸気装置３と連動する排気装置７を設けたことを特徴とする。【選択図】図１
0003127752.tif 000002
【実用新案登録請求の範囲】
【請求項１】
靴の中底の前部に吸気装置を設け、靴底の前半部に複数の凹陥部を連通させて設けると共に、踵に近接して水侵入防止部を設け、この水侵入防止部の内部に前記吸気装置と連動する排気装置を設けたことを特徴とする空気循環機構の靴。
【考案の詳細な説明】
【技術分野】
【０００１】  本考案は歩行中、靴の中に発生する悪臭、湿気等を自動的に排出するように構成した空気循環機構の靴に関するものである。
【背景技術】
【０００２】  従来、靴を履いて歩行した際、靴の中に発生する悪臭や湿気を除く手段として中敷に吸臭性又は吸湿性の素材を利用することによってある程度の効果をあげているが、近年消臭液を噴霧状にして靴内や足に噴射させて悪臭を除く方法が行なわれている。
以下に述べる公報が先行文献として挙げられる。
【特許文献】特願平７−２２５６０９
【特許文献】実願２００５−９４６０
【考案の開示】
【考案が解決しようとする課題】
【０００３】  しかし、靴の内部に発生する悪臭や湿気は外部に排出される訳ではないので、長時間履いた場合、悪臭や湿気が残り、特に暑い季節には短時間で悪臭を発するので悪臭、湿気を靴内から早急に排出することによって解決することが最良の策と考えられていた。
特に通勤通学等、終日靴を履く人にとって悪臭は周囲にその影響を及ぼすので以前から解決策が望まれていた。
本考案は靴を履いて歩くことのよって靴の内部の空気を自動的に排出、新しい外部の空気を吸入する機構を靴底に設け、歩行中に靴内の空気が常に入れ代わるように構成した空気循環機構の靴を提供することを目的とする。
【課題を解決するための手段】
【０００４】  上記目的を達成するため本考案は、靴Ａの中底２の前部に吸気装置３を設け、靴底４の前半部上面に複数の凹間部５を連通させて設けると共に、踵８に近接して水侵入防止部６を設け、この水侵入防止部６の内部に前記吸気装置３と連動する排気装置７を設けたものである。
【考案の効果】
【０００５】  上記のように構成された本考案には次のような効果がある。
ａ．歩行中に外部と内部の空気がに入れ代わることによって靴内の悪臭や湿気が排出され靴内は常に清潔に保たれ、靴を脱いだ後にも臭は殆ど残らない。
ｂ．靴内の空気が常に清潔に保たれ、湿気が排出されることによって水虫等の疾患を予防することが出来る。
ｃ．空気の入れ替えにより、靴内の悪臭や湿気と共に温度の上昇も抑制され、足の蒸れを防ぐので快適に歩行が出来る。
【考案を実施するための最良の形態】
【０００６】  以下、本考案の実施の形態を図面に基づいて説明する。
図１は本考案の内部構成を示す縦断面図、図２は吸気装置の縦断面図、図３は排気装置の縦断面図、図４は歩行中の本考案の作動状態を示した図で、図中の符号Ａは靴全体を示す。【０００７】  １は靴を履いた際に足を保持する甲被で、底周部が中底２と一体に靴底４に固定されている。【０００８】  中底２の前端寄りで人差指と中指の下方に当たる空隙部分に吸気装置３が設けられていて、歩くことによって靴内の匂いや湿気が吸気装置３、排気装置７を介して排出されるようになっている。【０００９】  吸気装置３は図２に示したように縦穴が設けられていて、この縦穴から靴内の空気が逆止弁３ａを介して排出され、逆止弁によって排出された空気が逆流してこないようになっている。【００１０】  ４は靴底で、この靴底４の前半部の上面に所定深さの凹陥部５が複数個設けられ、各凹陥部は連通している。
靴底４の踵８に近接して水侵入防止部６が設けられ、この水侵入防止部６の中には前記吸気装置３と連動して靴内の空気（悪臭や湿気）を排出する排気装置７が設けられている。【００１１】  靴底４の前半部上面に連通して設けられた複数の凹陥部５は吸気装置３から吸入された靴内の空気を貯留し、歩行することによって徐々に排気装置７から靴の外に排出されるようになっている。
凹陥部５は靴底の強度を損なわないように適当の間隔を置いて複数個設けたもので、中底と一体になっていて密封状になっている。【００１２】  水侵入防止部６は靴底４の踵８に近い位置に凹状に設けられ、靴底と踵を一体に張り合わせることによって空室状になっており、底部に小孔が設けられ、排気装置７から排出される靴内の空気がこの小孔から排出されるようになっている。
水侵入防止部６は通常は密封状態になっているので雨天の場合でも水の入る心配は全くなく、たとえ底部の小孔から水侵入部内に入ったとしても排気装置７から強制的に排出される空気によって外へ排出される。【００１３】  排気装置７は後方を高く傾斜させて設けてあるので逆止弁は常時閉じられていて矢印ｃの方向から空気が強制的に送られてくると逆止弁７ａが押し上げられ、空気は間隙を通り、水侵入防止部７から小孔を通って外へ排出され、排出が終わると後退していた逆止弁７ａが元の位置に復帰するようになっている。【００１４】  ８は靴の踵で、本考案の構成に関わる特定のものではなく、通常靴に設けられている踵である。【００１５】  上記のように構成された本考案を実際に履いて歩行した場合は次のようになる。
図４に示したように、片方の足（右）を踏み出した場合、他方（左）の足の靴の踵は上がり、靴底は後方半分が上方へ折れ曲がり、このように折れ曲がることによって凹陥部内の容積が小さくなり空気がある程度圧縮され、排気装置を通過して水侵入防止部６へ入り、小孔を通って外へ排出される。
折れ曲がった左の靴が元の平らの状態に戻ろうとすると、排気装置の逆止弁が閉じ、吸気装置の逆止弁が開き、凹陥部内に靴の内部の悪臭や湿気が凹陥部内に吸入される。
次に左足を踏み出すと前記左足の作動と同様に右足の靴底の後方が上方へ折れ曲がり、折れ曲がることによって凹陥部内の空気が圧縮され、排気装置を通過して水侵入防止部へ入り、小孔を通って外へ排出される。
歩行することによってこのような作動が繰り返えされ、靴内に発生する悪臭や湿気が取り除かれる。
この場合、凹陥部内の空気は早期に全部排出されるわけではなく、歩いているうちに徐々に排出されるようになっている。
【図面の簡単な説明】
【００１６】
【図１】本考案の内部構成を示す縦断面図
【図２】吸気装置の縦断面図
【図３】排気装置の縦断面図
【図４】歩行中の本考案の作動状態を示した図
【符号の説明】
【００１７】  １  甲被
２  中底
３  吸気装置
３ａ  逆止弁
４  靴底
５  凹陥部
６  水侵入防止部
７  排気装置
７ａ  逆止弁
８  踵
【図１】
0003127752.tif 000003
【図２】
0003127752.tif 000004
【図３】
0003127752.tif 000005
【図４】
0003127752.tif 000006
【手続補正書】
【提出日】平成18年9月8日(2006.9.8)
【手続補正２】
【補正対象書類名】明細書
【補正対象項目名】０００３
【補正方法】変更
【補正の内容】
【０００３】  しかし、靴の内部に発生する悪臭や湿気は外部に排出される訳ではないので、長時間履いた場合、悪臭や湿気が残り、特に暑い季節には短時間で悪臭を発するので悪臭、湿気を靴内から早急に排出することによって解決することが最良の策と考えられていた。
特に通勤通学等、終日靴を履く人にとって悪臭は周囲に悪い影響を及ぼすので以前から解決策が望まれていた。
本考案は靴を履いて歩くことによって靴の内部の悪臭や湿気を含む汚れた空気を吸入装置から吸入し、靴底に設けられた凹陥部を通して後方の排気装置から自動的に排出するようにしたもので、歩行中徐々に靴内の汚れた空気が排出されるように構成した空気循環機構の靴を提供することを目的とする。